(57)【要約】【課題】簡単な構成により、信号のＳＮ比低下等の電気特性の悪影響を防止または低減することができる天井等埋設装置を提供する。【解決手段】天井板１６の取付孔１６ａに埋設され、電源線２６ａが接続された電源用端子部２４および信号線２５ａが接続された信号用端子部２３を備えた本体１２と；本体に着脱自在に装着されて電源用端子部２４を被覆すると共に、電源線２６ａの引出方向を信号線２５ａの引出方向と相違する方向にガイドする保護カバー１３と；を具備している。【選択図】  図１
2008004363.tif 000002
【特許請求の範囲】
【請求項１】
天井等取付部の取付孔に埋設され、電源線が接続された電源用端子および信号線が接続された信号用端子を備えた本体と；
本体に着脱自在に装着されて電源用端子を被覆すると共に、電源線の引出方向を信号線の引出方向と相違する方向にガイドする保護カバーと；
を具備していることを特徴とする天井等埋設装置。
【請求項２】
電源用端子と信号用端子は、本体の同一面にて軸方向に並設されていることを特徴とする請求項１記載の天井等埋設装置。
【請求項３】
保護カバーは、電源線を信号線の引出方向と逆方向に向けた状態で挟持し固定するケーブルガイドおよび本体の被嵌合部と着脱自在に嵌合する嵌合部を備えていることを特徴とする請求項１または２記載の天井等埋設装置。
【請求項４】
本体は、取付孔に挿脱自在に形成されていることを特徴とする請求項１ないし３のいずれか一記載の天井等埋設装置。
【発明の詳細な説明】
【技術分野】
【０００１】
本発明は天井等に埋設される人感センサ装置や照度センサ装置等の天井等埋設装置に関する。
【背景技術】
【０００２】
従来、この種の天井等埋設装置としては、例えば図８で示す人感・照度センサ装置１がある。このセンサ装置１は本願出願人の実施品であり、商品カタログ等には掲載されているが、特許文献には記載されていない。
【０００３】
この人感・照度センサ装置１は、円盤状の底板２と、この底板２よりも小径（小幅）であって、その図８中上面上に同心状に立設される角筒状の本体３と、をＰＢＴ（ポリブチレンテレフタレータ）等の合成樹脂により一体に連成している。
【０００４】
底板２は、天井板４よりも図８中下方の空間を臨む下面に、人感センサ５、照度センサ６、リモコン受信器７をそれぞれ埋設している。
【０００５】
本体３は、その左右両外側面に、左右方向へ水平に延在する板ばねからなる左右一対の取付ばね８，８の下端を固着し、本体３の前後両側面に、図示しない信号用端子と電源端子９とをそれぞれ配設している。
【０００６】
信号用端子には信号線１０が接続されている。この信号線１０は、この信号用端子と本体３内の図示しない配線を介して人感センサ５、照度センサ６、リモコン受信器７に電気的に接続されている。
【０００７】
また、電源端子９には、電源線９Ａが接続され、この電源線９Ａから人感センサ５、照度センサ６、リモコン受信器７へ、図示しないＡＣ／ＤＣコンバータを介して所要の電力が供給される。
【０００８】
このように構成された人感・照度センサ装置１は、図８に示すように水平方向に延在する左右一対の取付ばね８，８を本体３側へ起立させるように搾めた状態で本体３を天井板４の取付孔４ａ内へ嵌入し、底板２の上面外周部が天井板４の取付孔４ａの下面に密着し、かつ底板２の下面が取付孔４ａから下方の空間を臨む所定位置にて、左右一対の取付ばね８，８が水平方向に復元して取付孔４ａ内に弾性的に装着される。
【発明の開示】
【発明が解決しようとする課題】
【０００９】
しかしながら、このような従来の天井等埋設装置では、電源線９Ａと信号線１０とを同一方向に引き出しているので、信号線が電源線と絡み合い、または近接する。このために、電源線９Ａの電磁作用により信号線の信号にノイズが重畳されて信号のＳＮ比を低減させ、誤動作を発生させる場合があった。
【００１０】
また、電源用端子９は、電源線９Ａを、その絶縁被覆を削除した裸の芯線の状態で接続しており、その接続部が外部、例えば天井裏空間で露出しているので、この電源用端子９に雨水等が滴下して漏電が発生し、または塵埃等が堆積して導電性等を低下させる等、電気特性に悪影響を与える可能性がある。
【００１１】
本発明はこのような事情を考慮してなされたもので、その目的は、簡単な構成により、信号のＳＮ比低下等の電気特性の悪影響を防止または低減することができる天井等埋設装置を提供することにある。
【課題を解決するための手段】
【００１２】
請求項１に係る発明は、天井等取付部の取付孔に埋設され、電源線が接続された電源用端子および信号線が接続された信号用端子を備えた本体と；本体に着脱自在に装着されて電源用端子を被覆すると共に、電源線の引出方向を信号線の引出方向と相違する方向にガイドする保護カバーと；を具備していることを特徴とする天井等埋設装置である。
【００１３】
請求項２に係る発明は、天井電源用端子と信号用端子は、本体の同一面にて軸方向に並設されていることを特徴とする請求項１記載の天井等埋設装置である。
【００１４】
請求項３に係る発明は、天井保護カバーは、電源線を信号線の引出方向と逆方向に向けた状態で挟持し固定するケーブルガイドおよび本体の被嵌合部と着脱自在に嵌合する嵌合部を備えていることを特徴とする請求項１または２記載の天井等埋設装置である。
【００１５】
請求項４に係る発明は、天井本体は、取付孔に挿脱自在に形成されていることを特徴とする請求項１ないし３のいずれか一記載の天井等埋設装置である。
【発明の効果】
【００１６】
請求項１に係る天井等埋設装置によれば、保護カバーにより、信号線の引出方向と相違する方向へ電源線を引き出すので、信号線を電源線から離間させることができる。
【００１７】
このために、電源線の電磁作用等により信号線の信号のＳＮ比が低下する等の電気的悪影響を防止または低減することができる。
【００１８】
また、電源線の裸の芯線が接続された電源用端子の回りを保護カバーにより被覆するので、電源端子に雨水が滴下したり、塵埃が堆積するのを、保護カバーにより防止または低減できる。このために、電源用端子に雨水等が滴下して漏電が発生し、または塵埃等が堆積して電気特性に悪影響を与える等を防止または低減することができる。
【００１９】
請求項２に係る天井等埋設装置によれば、電源用端子と信号用端子が本体の同一面に配設され、しかも、軸方向に並設されているので、これら両端子が本体の異なる側面にそれぞれ配設され、しかも並んでいない場合に比して、電源用端子に電源線を接続する作業と、信号用端子に信号線を接続する作業の作業性を向上させることができる。
【００２０】
また、電源用端子と信号用端子が本体の軸方向に沿って垂直（重力方向）に並設されているので、これら端子への雨水の滴下や塵埃の堆積を低減することができる。
【００２１】
請求項３に係る天井等埋設装置によれば、保護カバーのケーブルガイドにより、電源線の引出方向を信号線の引出方向と逆向きに向けた状態で、この電源線を挟持し固定するので、電源線の弾性復元力等により、その引出方向が変位するのを防止または低減することができる。
【００２２】
また、保護カバーの嵌合部を本体の被嵌合部に嵌合させることにより、保護カバーを本体に簡単迅速かつ容易に装着することができる一方、これら嵌合状態を解除することにより、本体から保護カバーを簡単迅速かつ容易に取り外すことができる。
【００２３】
請求項４に係る天井等埋設装置によれば、本体が天井板等の取付孔に挿脱自在に構成されているので、天井等埋設装置を、天井板等の取付孔に容易に挿入して装着する一方、取付孔から引き抜いて容易に取り外すことができる。
【発明を実施するための最良の形態】
【００２４】
以下、本発明の実施形態を図面に基づいて説明する。なお、複数の図面中、同一または相当部分には同一符号を付している。
【００２５】
図１は本発明に係る天井等埋設装置の一実施形態である天井等埋設用センサ装置１１を天井に埋設した状態を示す正面図、図２は同本体１２の斜視図、図３は同底面図である。
【００２６】
これら図１〜図３に示すようにセンサ装置１１は、ＰＢＴ等の合成樹脂製の本体１２と、同保護カバー１３とを具備している。本体１２は円盤上の底板１４上に、有蓋円筒状の本体ケーシング１５を同心状に立設している。
【００２７】
図１に示すように底板１４は、天井板１６の取付孔１６ａよりも大径に形成され、この取付孔１６ａに取り付けられたときに、天井板１６よりも図１中下方の空間を臨む下面のほぼ中央部に、照度センサ１７を配設し、その外周にて所要色の動作表示ランプ（ＬＥＤ）１８、リモコン送信ＬＥＤ（発光ダイオード）１９、リモコン受光部２０、人感センサ２１をそれぞれ配設している。
【００２８】
本体１２は、円筒状の本体ケーシング１５の直径方向で対向する左右両側面を所要幅の平面により軸方向にそれぞれ面取りし、これら面取りした左右両側面の下端部（根元部）に、図２，図３に示すように水平方向左右に延在する帯状板ばねよりなる左右一対の取付ばね２２ａ，２２ｂの下端部を固着している。
【００２９】
本体ケーシング１５は、その軸方向中間部およびこれよりも上方の上部にて上下２段の凹状段部１５ａ，１５ｂをそれぞれ形成している。これら上下段部１５ｂ，１５ａは、その下段１５ａの後端（奥）から上段１５ｂの前端に連接する垂直壁面よりなる下段前面に、矩形の信号端子部２３を配設している。
【００３０】
また、上段１５ｂの後端（奥）から頂端１５ｃの前端に連接する垂直壁面よりなる上段前面に、矩形の電源端子部２４を配設している。したがって、電源端子部２４と信号端子部２３は本体ケーシング１５の同一の前面にて軸方向に並設される。
【００３１】
図４に示すように信号端子部２３は、信号ケーブル２５の複数本の信号線２５ａ，２５ｂ，…がそれぞれ接続される複数の信号端子を具備している。これら各信号端子は各信号線２５ａの絶縁被覆を所要長削除した後の芯線の先端部が挿入されることにより着脱可能に接続する図示しない挿入取付孔と、その芯線との接続状態を解除する図示しないリリースボタンと、を備えている。
【００３２】
電源電子部２４は電源ケーブル２６のアース線を含む複数本の電源線２６ａ，２６ａ，…がそれぞれ接続される複数の電源端子を具備している。各電源端子も、信号用端子と同様に、各電源線２６ａの絶縁被覆を所要長削除された後の芯線先端部が挿入されることにより、着脱可能に接続される図示しない挿入取付孔と、その芯線との接続状態を解除する図示しないリリースボタンと、を備えている。
【００３３】
図５に示すように電源線２６は、商用電源等の交流電源ＡＣに接続されている。信号線２５は蛍光灯等照明装置２７，２７，…の点灯回路に接続され、これら照明装置２７，…を、照度センサ１７の照度検出値に応じて調光制御し、または人の有無を検出する人感センサ５の検出信号に応じて照明装置２７，…をオンオフ制御するようになっている。
【００３４】
そして、図１，図２に示すように、本体１２は、本体ケーシング１５の頂端１５ｃ上に、電源ケーブル２６の直径方向両端を挟持するＰＢＴ等合成樹脂製の左右一対のケーブルガイド２８ａ，２８ｂを一体に突設している。
【００３５】
また、本体ケーシング１５の上段１５ｂと頂端１５ｃ上には、側面形状がほぼ倒立Ｌ字状の有蓋角筒状の保護カバー１３を着脱自在に装着している。
【００３６】
図７（ａ）はこの保護カバー１３の側面図、同（ｂ）は同（ａ）の縦断面図、同（ｃ）は同（ａ）の平面図、同（ｄ）は同（ａ）の右側面図である。
【００３７】
これらの図に示すように保護カバー１３は、有蓋角筒状のカバー本体１３ａにおける上記電源端子部２４の前方を覆う前部１３ｂの下端を、後部１３ｃの下端よりも所定長図中下方へ延在させている。この前部１３ｂの図中下端には、その前後において、左右一対の前部係止爪１３ｂ１，１３ｂ１と、左右一対の中部係止爪１３ｂ２，１３ｂ２とをそれぞれ一体に突設している。
【００３８】
図６に示すようにこれら中部係止爪１３ｂ２，１３ｂ２ｂは、本体ケーシング１５の上段１５ｂに形成された下段係合孔１５ｂ１内に係脱自在に嵌合される。前部係止爪１３ｂ１，１３ｂ１も下段１５ｂの図示しない左右一対の係合孔内に嵌合される。後部１３ｃは、その幅方向中間部にて、電源ケーブル２６を外部へ引き出すためのケーブル引出孔１３ｃ１を形成している。後部１３の下端にも左右一対の後部係止爪１３ｃ２，１３ｃ２を一体に突設している。これら一対の後部係止爪１３ｃ２，１３ｃ２は本体ケーシング１５の頂端１５ｃ上に形成された係合孔１５ｃ１，１５ｃ１内に係脱自在に嵌合される。
【００３９】
この保護カバー１３を本体ケーシング１５の上段１５ｂと頂端１５ｃ上に装着する場合は、その前に、予め図６に示すように電源ケーブル２６を本体ケーシング１５の後方へ曲げ、さらに、この電源ケーブル２６を一対のケーブルガイド２８ａ，２８ｂ間に挿入して電源ケーブル２６を信号線２５の引出方向と逆方向に引き出しておく。
【００４０】
このように構成された天井等埋設装置１１を天井板１６に埋設する場合は、図４に示すように信号端子部２に信号線２５ａを接続し、電源端子部２４に電源線２６ａを接続した後、本体ケーシング１５の上段１５ｂと頂端１５ｃ上に保護カバー１３を装着する。この後、左右一対の取付ばね２２ａ，２２ｂを内方へ搾めて天井板１６の取付孔１６ａ内に挿入する。
【００４１】
すると、図１に示すように左右一対の取付ばね２２ａ，２２ｂの水平方向への弾性復元力が取付孔１６ａ内周面に作用して弾性的に保持される。これにより天井等埋設装置１１が取付孔１６ａに装着される。
【００４２】
したがって、この天井等埋設装置１１によれば、保護カバー１３により、信号線の引出方向の前方とは相違する後方へ電源線２６ａを引き出すので、信号線２５ａを電源線２６ａから離間させることができる。
【００４３】
このために、電源線２６ａの電磁作用等により信号線２５ａの信号のＳＮ比が低下する等の電気的悪影響を防止または低減することができる。
【００４４】
また、電源線２６ａの裸の芯線が接続された電源用端子部２４を保護カバー１３により被覆するので、電源用端子２４に雨水等が滴下して漏電が発生し、または塵埃等が堆積して電気特性に悪影響を与える等を防止または低減することができる。
【００４５】
さらに、電源用端子部２４と信号用端子部２３が本体ケーシング１５の同一の前面に配設され、しかも、軸方向に並設されているので、これら両端子部２４，２３が本体ケーシング１５の異なる面に配設され、しかも並んでいない場合に比して、電源用端子部２４に電源線２６ａを接続する作業と、信号用端子部２３に信号線２５ａを接続する作業の作業性を向上させることができる。
【００４６】
また、電源用端子部２４と信号用端子部２３が本体ケーシング１５の軸方向に沿って垂直（重力方向）にそれぞれ配設されているので、これら端子部２４，２３への雨水の滴下や塵埃の堆積を低減することができる。
【００４７】
さらに、保護カバー１３のケーブルガイド２８ａ，２８ｂにより、電源線２６ａの引出方向を信号線２５ａの引出方向と逆向きに向けた状態で、この電源線２６ａ、すなわち電源ケーブル２６を挟持し固定するので、電源ケーブル２６の弾性復元力等により、その引出方向が変位するのを防止または低減することができる。
【００４８】
また、保護カバー１３の嵌合部である係止爪１３ｂ１，１３ｂ１，１３ｂ２，１３ｂ２，１３ｃ２，１３ｃ２，…を本体ケーシング１５の被嵌合部である係合孔１５ｂ１，１５ｂ１，１５ｃ１，１５ｃ１，…に嵌合させることにより、保護カバー１３を本体ケーシング１５に簡単迅速かつ容易に装着することができる一方、これら嵌合状態を解除することにより、本体ケーシング２５から保護カバー１３を簡単迅速かつ容易に取り外すことができる。
【００４９】
さらに、本体ケーシング１５が天井板１６の取付孔１６ａに係脱自在に構成されているので、天井等埋設装置１１を、天井板１６等の取付孔１６ａに容易に挿入して装着する一方、取付孔から引き抜いて容易に取り外すことができる。
【図面の簡単な説明】
【００５０】
【図１】本発明の第１実施形態に係る天井等埋設装置を天井板に埋設した状態の一部を仮想線（２点鎖線と破線）で示す正面図。
【図２】図１で示す天井等埋設装置本体の斜視図。
【図３】図１で示す天井等埋設装置本体の底面図。
【図４】図１で示す天井等埋設装置本体と、電源線および信号線との接続状態を主に示す斜視図。
【図５】図１で示す天井等埋設装置と、電源線および信号線との配線状態を示す配線図。
【図６】図１で示す天井等埋設装置の側面図。
【図７】図１等で示す保護カバーを示しており、（ａ）は同側面図、（ｂ）は同（ａ）の縦断面図、（ｃ）は同（ａ）の平面図、（ｄ）は同（ａ）の背面図。
【図８】従来の天井等埋設装置本体の斜視図。
【符号の説明】
【００５１】
１１…天井等埋設装置、１２…本体、１３…保護カバー、１４…底板、１５…本体ケーシング、１６…天井板、１６ａ…取付孔、１７…照度センサ、２１…人感センサ、２２ａ，２２ｂ…一対の取付ばね、２３…信号用端子部、２４…電源用端子部、２５ａ…信号線、２５ａ…信号線、２６ａ…電源線、２８ａ，２８ｂ…一対のケーブルガイド。
【図１】
2008004363.tif 000003
【図２】
2008004363.tif 000004
【図３】
2008004363.tif 000005
【図４】
2008004363.tif 000006
【図５】
2008004363.tif 000007
【図６】
2008004363.tif 000008
【図７】
2008004363.tif 000009
【図８】
2008004363.tif 000010